(57)【要約】  【課題】  遊動ウキ釣りにおいて、ウキを移動するためにウキ止め糸を付け替える場合にも釣り糸に取り付けた仕掛けをそのままに、ウキ止め糸を容易に結び付けることができるようにする。  【解決手段】 補助筒のウキ止め糸引き出し口１３よりカギ棒のカギ２２から挿入し、ウキ止め糸引き出し口１３の反対側と釣り糸３１とウキ止め糸３２とを一緒に摘み、釣り糸３１は筒１１に沿わせて釣り糸掛け２３に掛け、ウキ止め糸３２で筒１１と釣り糸３１とを巻き付けた後にウキ止め糸掛け口１２にあてがいカギ２２に掛けて引き出し、筒１に巻き付けたウキ止め糸を摘み補助筒も抜き取り、ウキ止め糸３２の両端を引くことで、釣り糸に容易に結び付けることができるウキ止め糸結び具である。【特許請求の範囲】
【請求項１】
筒１１に糸掛け口１２と糸引き抜き口１３とを設けた補助筒と、棒２１の先端にカギ２２と後部に糸掛け２３とツマミ２４とを設けたカギ棒とで釣り糸３１の自由な位置にウキ止め糸３２が結べるようにしたウキ止め糸結び具。
【発明の詳細な説明】
【技術分野】
【０００１】
本発明は、魚釣りの遊動ウキ仕掛けにおいてウキを目的の深さで止めるためのウキ止め糸を釣り糸に取り付けることが大変手間の掛かるものを、ウキ止め糸を巻き付けるための筒にウキ止め糸をカギに掛けるための糸掛け口とウキ止め糸を引き出すための糸引出し口を設けた補助筒と、ウキ止め糸を引っ掛けて抜き出すための棒の先端にカギと後部に釣り糸を掛ける糸掛けとツマミを設けたカギ棒を使うことにより、釣り糸の自由な位置にウキ止め糸を結ぶことが容易なウキ止め糸結び具に関するものである。
【背景技術】
【０００２】
従来、遊動ウキ釣り仕掛けのウキ止め糸を釣り糸に取り付けるには、ウキ止め糸がパイプ等にセットされたものを釣り糸の先端より目的の位置まで通し、パイプ等より抜き取りウキ止め糸の両端を引き釣り糸に固定するもので、深い位置に固定するには相当の長さを通さなければならないことや、一度固定したものを長い距離移動させることも困難であり、付け替えをするには釣り糸を切り離した後にまた結ばなければならない。また、ウキ止め糸がパイプ等にセットされたものを使わずに手で結ぶ方法もあるが大変手間がかかるので、釣り糸を切る事も無く自由な位置へ容易に結べることが要求される。
【０００３】
この改善策として、仕掛けを作り上げた後でも、釣り糸を切り離すことなくウキ止め糸を自由な位置に結ぶことが容易にできるようにする。
【発明の開示】
【発明が解決しようとする課題】
【０００４】
解決しようとする問題点は、ウキ止め糸がパイプ等にセットされたものを釣り糸の先端より目的の深さまで通さなければならないことや、一度固定したウキ止め糸を長い距離移動することが困難なために、釣り糸を切り離なしてウキ止め糸を取り付け直した後また結ばなければならないことや、目的の位置に手で結ぶ方法もあるが、いずれも大変手間がかかるということである。
【課題を解決するための手段】
【０００５】
本発明は、上記目的を達成するために、筒に糸掛け口と糸引き抜き口を設けた補助筒と、棒の先端にカギを設けたカギ棒とでウキ止め糸が結べるようにする。
【発明の効果】
【０００６】
本発明のウキ止め糸結び具は仕掛けを作り上げた後でも釣り糸を切り離すことなく、ウキ止め糸を釣り糸の自由な位置に結ぶことが容易にでき不要な手間を省くことができる。
【発明を実施するための最良の形態】
【０００７】
本発明は、ウキ釣りにおいて釣り場の深さに合わせたウキの位置が容易に設定できるようにしたウキ止め糸結び具で、それを図面について説明すれば、ウキ止め糸３２を巻き付けるための筒１１にウキ止め糸３２をカギ２２に掛けるための糸掛け口１２とウキ止め糸３２を引き出すための糸引出し口１３を設けた補助筒と、ウキ止め糸３２を引っ掛けて抜き出すための棒２１の先端にカギ２２と後部に釣り糸３２を掛ける糸掛け２３とツマミ２４を設けたカギ棒である。そうしたものに、糸引出し口１３にカギ棒を挿入し釣り糸３１のウキを止める部分を沿わせて糸掛け２３に掛け、補助筒の糸引出し口１３の反対側と釣り糸３１と必要な長さに切ったウキ止め糸３２とを一緒に摘み、ウキ止め糸３２で筒１１の糸引出し口１３側に釣り糸３１とウキ止め糸３２ともを数回巻き付けた後に糸掛け口１２にあてがいカギ２２に引っ掛けてウキ止め糸３２を抜き出し、補助筒もウキ止め糸３２から抜き取り、ウキ止め糸３２の両端を引くことで、釣り糸３１の自由な位置に結ぶことが容易にできるものである。
【図面の簡単な説明】
【０００８】
【図１】上図がカギ棒と、下図が補助筒の側面図である。
【図２】筒にウキ止め糸を巻き付けカギに掛けた状態の斜視図である。
【図３】カギに掛けたウキ止め糸をカギ棒で引き出し補助筒を抜きとった状態の斜視図である。
【符号の説明】
【０００９】
１１    筒
１２    糸掛け口
１３    糸引き出し口
２１    棒
２２    カギ
２３    糸掛け
２４    ツマミ
３１    釣り糸
３２    ウキ止め糸
【図１】
2005237263.tif 000002
【図２】
2005237263.tif 000003
【図３】
2005237263.tif 000004
【手続補正書】
【提出日】平成17年2月15日(2005.2.15)
【手続補正１】
【補正対象書類名】特許請求の範囲
【補正対象項目名】請求項１
【補正方法】変更
【補正の内容】
【請求項１】
筒にウキ止め糸掛け口とウキ止め糸引き出し口を有する補助筒と、棒の先端にカギと後部に釣り糸掛けとツマミを有するカギ棒との構成で、ウキ止め糸が容易に結び付けることができることを特徴としたウキ止め糸結び具。
【手続補正３】
【補正対象書類名】明細書
【補正対象項目名】０００１
【補正方法】変更
【補正の内容】
【０００１】
本発明は、遊動ウキ釣り仕掛けで釣りをする場合に、ウキを目的の深さで止めるためにウキ止め糸を釣り糸に結び付けるのに、補助筒とカギ棒を使うことにより容易に結び付けることができ、ウキの位置を変更するためにウキ止め糸を付け替える場合にも釣り仕掛けはそのままにウキ止め糸を結び付けることができる、ウキ止め糸結び具に関する。
【手続補正４】
【補正対象書類名】明細書
【補正対象項目名】０００２
【補正方法】変更
【補正の内容】
【０００２】
従来、ウキ釣りにおいて竿の長さより深いところを釣る場合に遊動ウキ釣り仕掛けとし、このときにウキを止めるためのいろいろな形態のウキ止め具があるが、その一つにウキ止め糸があり、釣り糸に結び付けるには、パイプにセットされたウキ止め糸を利用し、釣り糸の先端より目的の位置まで通し、パイプより抜き出しウキ止め糸の両端を引いて釣り糸に結び付けた後に釣り仕掛けを取り付けるので、ウキの位置を変更する場合には一度結び付けたウキ止め糸を移動させることが困難であり、付け替えをするにも釣り仕掛けを切り離し、ウキ止め糸を結び付けた後に、切り離した釣り仕掛けを結び直さなければならない。また、ウキ止め糸を手で結ぶ方法もあるが時間がかかる。
【手続補正５】
【補正対象書類名】明細書
【補正対象項目名】０００３
【補正方法】変更
【補正の内容】
【０００３】
この改善策として、釣り糸に取り付けた釣り仕掛けをそのままに、釣り糸に容易に結び付けることができるようにする。
【手続補正６】
【補正対象書類名】明細書
【補正対象項目名】０００４
【補正方法】変更
【補正の内容】
【０００４】
本発明は、上記従来技術の改善策を解決するために、ウキ止め糸結び具を提供することを課題とする。
【手続補正７】
【補正対象書類名】明細書
【補正対象項目名】０００５
【補正方法】変更
【補正の内容】
【０００５】
本発明は、上記目的を達成するために、補助筒とカギ棒とを使い釣り糸に取り付けた仕掛けをそのままに、釣り糸にウキ止め糸が容易に結び付けることができるようにする。
【手続補正８】
【補正対象書類名】明細書
【補正対象項目名】０００６
【補正方法】変更
【補正の内容】
【０００６】
本発明のウキ止め糸結び具は、釣り糸に取り付けた仕掛けをそのままに、ウキ止め糸を釣り糸に容易に結ぶことができ、釣り時間を有効にでき釣果率を上げることができる。
【手続補正９】
【補正対象書類名】明細書
【補正対象項目名】０００７
【補正方法】変更
【補正の内容】
【０００７】
本発明は、釣り糸にウキ止め糸を容易に結び付けるようにしたウキ止め糸結び具で、それを図面について説明すれば、図１は、上図はカギ棒と下図は補助筒の形態を示す正面図で、筒１１にウキ止め糸掛け口１２とウキ止め糸引き出し口１３を有した補助筒と、棒２１の先端にカギ２２と後部に釣り糸掛け２３とツマミ２４とを有するカギ棒である。図２は、ウキ止め糸結び具の一実施例の前半を示す斜視図で、補助筒のウキ止め糸引き出し口１３よりカギ棒のカギ２２から挿入し、ウキ止め糸引き出し口１３の反対側と釣り糸３１のウキを止める部分とウキ止め糸３２とを一緒に摘み、釣り糸３１を筒１に沿わせて釣り糸掛け２３に掛け、筒１１と釣り糸３１とを巻き付けたウキ止め糸３２をウキ止め糸掛け口１２にあてがいカギ２２に掛けた様子である。図３は、ウキ止め糸を引き出し、補助筒を抜き取ったときの斜視図で、ウキ止め糸３２をウキ止め糸引き出し口１３より引き出し、巻き付けたウキ止め糸３２を指で押さえて補助筒を抜き取った様子で、その後ウキ止め糸３２の両端を引くことで、釣り糸３１に容易に結び付けることができる。
【手続補正１０】
【補正対象書類名】明細書
【補正対象項目名】０００８
【補正方法】変更
【補正の内容】
【０００８】
【図１】上図はカギ棒と下図は補助筒の形態を示す正面図である。
【図２】ウキ止め糸結び具の一実施例の前半を示す斜視図である。
【図３】ウキ止め糸結び具の一実施例の後半を示す斜視図である。
【手続補正１１】
【補正対象書類名】明細書
【補正対象項目名】０００９
【補正方法】変更
【補正の内容】
【０００９】
１１    筒
１２    ウキ止め糸掛け口
１３    ウキ止め糸引き出し口
２１    棒
２２    カギ
２３    釣り糸掛け
２４    ツマミ
３１    釣り糸
３２    ウキ止め糸